(57)【要約】【課題】複数のモジュールが近距離通信により認証処理を行った上でそれぞれの個別機能部を働かせることにより全体として一つの機能を実現する携帯機器を、利便性を損なうことなくバッテリの電力で長時間使用可能にすること。【解決手段】複数のモジュール１１０〜１５０の内の第１のモジュールと第２のモジュールとが近距離通信により認証処理を行う際、第１のモジュールが自モジュールのバッテリ１０１の残容量を検出し、当該残容量が所定量を上回っている場合に、認証動作を行うための電力を第２のモジュールに供給する。【選択図】図１
2010273105.tif 000002
【特許請求の範囲】
【請求項１】
バッテリと、当該バッテリに蓄えられている電力により動作して個別の機能を発揮する個別機能部と、非接触通信により認証処理を行うための近距離通信部と、を有するモジュール装置を複数備えた携帯機器であって、
前記複数のモジュール装置の内の第１のモジュール装置と第２のモジュール装置とが非接触近距離通信により認証処理を行う際、第１のモジュール装置は、自モジュール装置のバッテリの残容量を検出し、当該残容量が所定量を上回っている場合に、認証動作を行うための電力を第２のモジュール装置に供給することを特徴とする携帯機器。
【請求項２】
前記第１のモジュール装置は、前記個別機能部を働かせるための電力を蓄えているバッテリとは別に、前記近距離通信部を働かせるための認証動作用バッテリを有し、前記第２のモジュール装置と非接触近距離通信を行う際、前記認証動作用バッテリの残容量を検出し、当該残容量が所定量を上回っている場合に、前記認証動作用バッテリから前記第２のモジュール装置に認証動作を行うための電力を供給することを特徴とする請求項１記載の携帯機器。
【請求項３】
前記第１のモジュール装置と前記第２のモジュール装置とが各々自モジュール装置のバッテリの残容量を検出して、その残容量情報を非接触近距離通信により相互に交換し、一方のモジュール装置のバッテリの残容量が他方のモジュール装置のバッテリの残容量を上回っている場合に、当該一方のモジュール装置が当該他方のモジュール装置に認証動作を行うための電力を供給することを特徴とする請求項１記載の携帯機器。
【請求項４】
前記モジュール装置は、認証動作を行うための電力を自モジュール装置から他のモジュール装置に供給可能とするか否かを切り替えるためのスイッチを有することを特徴とする請求項３記載の携帯機器。
【請求項５】
前記第１のモジュール装置は、自モジュール装置のバッテリから前記第２のモジュール装置に電力を供給して認証処理を実行した後、自モジュール装置の前記バッテリに蓄えられている電力を自モジュール装置の動作のために使用することを特徴とする請求項１記載の携帯機器。
【請求項６】
前記モジュール装置は、認証動作を行う必要がないときに自モジュール装置の前記近距離通信部への電力の供給を遮断するためのスイッチを有することを特徴とする請求項１記載の携帯機器。
【請求項７】
バッテリと、当該バッテリに蓄えられている電力により動作して個別の機能を発揮する個別機能部と、非接触通信により認証処理を行うための近距離通信部と、を有するモジュール装置を複数備えた携帯機器であって、
前記複数のモジュール装置の内の少なくとも１つは認証電力供給用モジュール装置であり、前記複数のモジュール装置の内の第１のモジュール装置と第２のモジュール装置とが非接触近距離通信により認証処理を行う際、前記認証電力供給用モジュール装置が前記第１のモジュール装置と前記第２のモジュール装置の両方又は一方に認証動作を行うための電力を供給することを特徴とする携帯機器。
【請求項８】
前記第１のモジュール装置は、前記第２のモジュール装置に対する認証処理を実行した結果、既に認証済みであった場合には、前記第２のモジュール装置の認証を解除できることを特徴とする請求項１〜７のいずれか一項に記載の携帯機器。
【請求項９】
前記第１のモジュール装置は、前記第２のモジュール装置に対する認証処理を実行した結果、認証不可であった場合には、前記第２のモジュール装置に使用不能化コマンドを送信し、
前記第２のモジュール装置は、前記使用不能化コマンドを受信した場合、自モジュール装置のバッテリによる電力供給を遮断することを特徴とする請求項１〜７のいずれか一項に記載の携帯機器。
【請求項１０】
バッテリと、当該バッテリに蓄えられている電力により動作して個別の機能を発揮する個別機能部と、非接触通信により認証処理を行うための近距離通信部と、を有するモジュール装置を複数備えた携帯機器が行う電力供給方法であって、
前記複数のモジュール装置の内の第１のモジュール装置と第２のモジュール装置とが非接触近距離通信により認証処理を行う際、第１のモジュール装置は、自モジュール装置のバッテリの残容量を検出し、当該残容量が所定量を上回っている場合に、認証動作を行うための電力を第２のモジュール装置に供給することを特徴とする電力供給方法。
【請求項１１】
前記第１のモジュール装置は、前記個別機能部を働かせるための電力を蓄えているバッテリとは別に、前記近距離通信部を働かせるための認証動作用バッテリを有し、前記第２のモジュール装置と非接触近距離通信を行う際、前記認証動作用バッテリの残容量を検出し、当該残容量が所定量を上回っている場合に、前記認証動作用バッテリから前記第２のモジュール装置に認証動作を行うための電力を供給することを特徴とする請求項１０記載の電力供給方法。
【請求項１２】
前記第１のモジュール装置と前記第２のモジュール装置とが各々自モジュール装置のバッテリの残容量を検出して、その残容量情報を非接触近距離通信により相互に交換し、一方のモジュール装置のバッテリの残容量が他方のモジュール装置のバッテリの残容量を上回っている場合に、当該一方のモジュール装置が当該他方のモジュール装置に認証動作を行うための電力を供給することを特徴とする請求項１１記載の電力供給方法。
【請求項１３】
前記モジュール装置は、認証動作を行うための電力を自モジュール装置から他のモジュール装置に供給可能とするか否かを切り替えるためのスイッチを有することを特徴とする請求項１２記載の電力供給方法。
【請求項１４】
前記第１のモジュール装置は、自モジュール装置のバッテリから前記第２のモジュール装置に電力を供給して認証処理を実行した後、自モジュール装置の前記バッテリに蓄えられている電力を自モジュール装置の動作のために使用することを特徴とする請求項１０記載の電力供給方法。
【請求項１５】
前記モジュール装置は、認証動作を行う必要がないときに自モジュール装置の前記近距離通信部への電力の供給を遮断することを特徴とする請求項１０記載の電力供給方法。
【請求項１６】
バッテリと、当該バッテリに蓄えられている電力により動作して個別の機能を発揮する個別機能部と、非接触通信により認証処理を行うための近距離通信部と、を有するモジュール装置を複数備えた携帯機器が行う電力供給方法であって、
前記複数のモジュール装置の内の少なくとも１つは認証電力供給用モジュール装置であり、前記複数のモジュール装置の内の第１のモジュール装置と第２のモジュール装置とが非接触近距離通信により認証処理を行う際、前記認証電力供給用モジュール装置が前記第１のモジュール装置と前記第２のモジュール装置の両方又は一方に認証動作を行うための電力を供給することを特徴とする電力供給方法。
【請求項１７】
前記第１のモジュール装置は、前記第２のモジュール装置に対する認証処理を実行した結果、既に認証済みであった場合には、前記第２のモジュール装置の認証を解除できることを特徴とする請求項１０〜１６のいずれか一項に記載の電力供給方法。
【請求項１８】
前記第１のモジュール装置は、前記第２のモジュール装置に対する認証処理を実行した結果、認証不可であった場合には、前記第２のモジュール装置に使用不能化コマンドを送信し、
前記第２のモジュール装置は、前記使用不能化コマンドを受信した場合、自モジュール装置のバッテリによる電力供給を遮断することを特徴とする請求項１０〜１６のいずれか一項に記載の電力供給方法。
【請求項１９】
バッテリと、当該バッテリに蓄えられている電力により動作して個別の機能を発揮する個別機能部と、非接触通信により認証処理を行うための近距離通信部と、を有するモジュール装置を複数備えた携帯機器における前記モジュール装置であって、
他モジュール装置の認証を行う際、自モジュール装置のバッテリの残容量を検出し、当該残容量が所定量を上回っている場合に、認証動作を行うための電力を当該他モジュール装置に供給することを特徴とするモジュール装置。
【請求項２０】
前記個別機能部を働かせるための電力を蓄えているバッテリとは別に、前記近距離通信部を働かせるための認証動作用バッテリを有し、前記他モジュール装置と非接触近距離通信を行う際、前記認証動作用バッテリの残容量を検出し、当該残容量が所定量を上回っている場合に、前記認証動作用バッテリから当該他モジュール装置に認証動作を行うための電力を供給することを特徴とする請求項１９のモジュール装置。
【請求項２１】
自モジュール装置のバッテリの残容量を検出してその残容量情報を非接触近距離通信により他モジュール装置と交換し、自モジュール装置のバッテリの残容量が当該他モジュール装置のバッテリの残容量を上回っている場合に、当該他モジュール装置に認証動作を行うための電力を供給することを特徴とする請求項１９記載のモジュール装置。
【請求項２２】
認証動作を行うための電力を自モジュール装置から他モジュール装置に供給可能とするか否かを切り替えるためのスイッチを有することを特徴とする請求項２１記載のモジュール装置。
【請求項２３】
自モジュール装置のバッテリから他モジュール装置に電力を供給して認証処理を実行した後、自モジュール装置の前記バッテリに蓄えられている電力を自モジュール装置の動作のために使用することを特徴とする請求項１９記載のモジュール装置。
【請求項２４】
認証動作を行う必要がないときに自モジュール装置の前記近距離通信部への電力の供給を遮断するためのスイッチを有する特徴とする請求項１９記載のモジュール装置。
【請求項２５】
バッテリと、当該バッテリに蓄えられている電力により動作して個別の機能を発揮する個別機能部と、非接触通信により認証処理を行うための近距離通信部と、を有するモジュール装置を複数備えた携帯機器におけるモジュール装置であって、
自モジュール装置以外の第１のモジュール装置と第２のモジュール装置とが非接触近距離通信により認証処理を行う際、前記第１のモジュール装置と前記第２のモジュール装置の両方又は一方に認証動作を行うための電力を供給することを特徴とするモジュール装置。
【請求項２６】
他モジュール装置に対する認証処理を実行した結果、既に認証済みであった場合には、当該他モジュール装置の認証を解除できることを特徴とする請求項１９〜２５のいずれか一項に記載のモジュール装置。
【請求項２７】
他モジュール装置に対する認証処理を実行した結果、認証不可であった場合には、当該他モジュール装置にその使用を不能化するコマンドを送信することを特徴とする請求項１９〜２５のいずれか一項に記載のモジュール装置。
【発明の詳細な説明】
【技術分野】
【０００１】
本発明は、非接触近距離通信機能を有する複数のモジュール装置が非接触近距離通信により認証処理を行った上で各々機能することにより、全体として一つの機能を実現する携帯機器に係り、特に、モジュール装置間における認証処理のための電力供給技術に関する。
【背景技術】
【０００２】
図１４は複数のモジュールを有する携帯機器を示すブロック図である。以下、「モジュール装置」を単に「モジュール」と記す。図１４に示す携帯機器１０は、アプリケーション処理モジュール１１と、入力モジュール１２と、音響モジュール１３と、通信モジュール１４と、表示モジュール１５とを有する。
【０００３】
アプリケーション処理モジュール１１は、携帯機器１０の各種アプリケーション機能を実現するための処理を行うアプリケーション処理機能部（個別機能部）１１１を有する。入力モジュール１２は、キーボードやタッチパッド等の入力装置を含む入力処理機能部（個別機能部）１１２を有する。音響モジュール１３は、スピーカ１１３ａと、マイク１１３ｂと、これらによる音声入出力処理及び制御を行う音響機能部（個別機能部）１１３とを有する。通信モジュール１４は、ベースバンド回路やＲＦ(Radio Frequency)処理回路等を含む通信機能部（個別機能部）１１４を有する。表示モジュール１５は、液晶や有機ＥＬ等を用いた表示装置と、この駆動を制御する表示制御回路とを含む表示部（個別機能部）１１５を有する。各モジュール１１〜１５には、それぞれの個別機能部１１１〜１１５に加えて、他のモジュールと非接触で近距離通信を行うための近距離通信部１２ａ〜１２ｅと、モジュール内の各部に電力を供給するバッテリ１１ａ〜１１ｅとがそれぞれ搭載されている。
【０００４】
図１４の携帯機器１０では、各モジュール１１〜１５の個別機能部１１１〜１１５を動作させて全体として一つの機能を実現可能とするための前処理として、モジュール１１〜１５間で非接触近距離通信による認証処理が行なわれる。しかし、従来の携帯機器１０においては、モジュール１１〜１５間における認証処理を常時可能としておく必要上、各モジュール１１〜１５の近距離通信部１２ａ〜１２ｅが常に動作状態である。このため、各モジュール１１〜１５に搭載されているバッテリ１１ａ〜１１ｅの残容量が低下してしまい、使用可能時間が短くなってしまうという問題があった。（非特許文献１参照）
【先行技術文献】
【非特許文献】
【０００５】
【非特許文献１】ITmedia、“ドコモ、上下を分離できる「セパレートケータイ」公開”、[online]、2008年09月30日 17時54分 更新、アイティメディア株式会社、[２００８年１２月１０日検索]、インターネット＜URL:http://plusd.itmedia.co.jp/mobile/articles/0809/30/news094.html＞
【発明の概要】
【発明が解決しようとする課題】
【０００６】
モジュール１１〜１５間における認証処理を常時可能としておくためにバッテリ１１ａ〜１１ｅの残容量が低下してしまい、携帯機器１０の使用可能時間が短くなってしまうという上記問題は、各モジュール１１〜１５のバッテリ１１ａ〜１１ｅとして大容量のものを使用することにより解決可能である。しかし、大容量化に伴いバッテリ１１ａ〜１１ｅの寸法が大きくなるため、各モジュール１１〜１５の寸法も大きくなってしまう。その結果、複数のモジュール１１〜１５を有する携帯機器１０のサイズが大きくなり、携帯機器としての利便性を損ねてしまうことになる。
【０００７】
別の解決手段として、認証処理のための近距離通信部１２ａ〜１２ｅへの電力供給を手動でオン／オフするための電源スイッチを各モジュール１１〜１５に設ける。当該構成によれば、認証処理を要するときだけ近距離通信部１２ａ〜１２ｅに電力が供給されるように電源スイッチをオン／オフ操作することにより、認証可能状態を維持するために浪費される電力を削減することが考えられる。しかし、各モジュール１１〜１５の電源スイッチを認証の都度オン／オフ操作することは非常に煩雑である。
【０００８】
本発明の目的は、携帯機器としての利便性を損なうことなく、バッテリからの供給電力により長時間使用可能な携帯機器、当該携帯機器が行う電力供給方法、及び当該携帯機器におけるモジュール装置を提供することである。
【課題を解決するための手段】
【０００９】
本発明は、バッテリと、当該バッテリに蓄えられている電力により動作して個別の機能を発揮する個別機能部と、非接触通信により認証処理を行うための近距離通信部と、を有するモジュール装置を複数備えた携帯機器であって、前記複数のモジュール装置の内の第１のモジュール装置と第２のモジュール装置とが非接触近距離通信により認証処理を行う際、第１のモジュール装置は、自モジュール装置のバッテリの残容量を検出し、当該残容量が所定量を上回っている場合に、認証動作を行うための電力を第２のモジュール装置に供給する携帯機器を提供する。
【００１０】
上記携帯機器では、前記第１のモジュール装置は、前記個別機能部を働かせるための電力を蓄えているバッテリとは別に、前記近距離通信部を働かせるための認証動作用バッテリを有し、前記第２のモジュール装置と非接触近距離通信を行う際、前記認証動作用バッテリの残容量を検出し、当該残容量が所定量を上回っている場合に、前記認証動作用バッテリから前記第２のモジュール装置に認証動作を行うための電力を供給することが望ましい。
【００１１】
上記携帯機器では、前記第１のモジュール装置と前記第２のモジュール装置とが各々自モジュール装置のバッテリの残容量を検出して、その残容量情報を非接触近距離通信により相互に交換し、一方のモジュール装置のバッテリの残容量が他方のモジュール装置のバッテリの残容量を上回っている場合に、当該一方のモジュール装置が当該他方のモジュール装置に認証動作を行うための電力を供給することが望ましい。この場合、前記モジュール装置は、認証動作を行うための電力を自モジュール装置から他のモジュール装置に供給可能とするか否かを切り替えるためのスイッチを有することが望ましい。
【００１２】
上記携帯機器では、前記第１のモジュール装置は、自モジュール装置のバッテリから前記第２のモジュール装置に電力を供給して認証処理を実行した後、自モジュール装置の前記バッテリに蓄えられている電力を自モジュール装置の動作のために使用することが望ましい。
【００１３】
上記携帯機器では、前記モジュール装置は、認証動作を行う必要がないときに自モジュール装置の前記近距離通信部への電力の供給を遮断するためのスイッチを有することが望ましい。
【００１４】
また、本発明は、バッテリと、当該バッテリに蓄えられている電力により動作して個別の機能を発揮する個別機能部と、非接触通信により認証処理を行うための近距離通信部と、を有するモジュール装置を複数備えた携帯機器であって、前記複数のモジュール装置の内の少なくとも１つは認証電力供給用モジュール装置であり、前記複数のモジュール装置の内の第１のモジュール装置と第２のモジュール装置とが非接触近距離通信により認証処理を行う際、前記認証電力供給用モジュール装置が前記第１のモジュール装置と前記第２のモジュール装置の両方又は一方に認証動作を行うための電力を供給する携帯機器を提供する。
【００１５】
上記携帯機器では、前記第１のモジュール装置は、前記第２のモジュール装置に対する認証処理を実行した結果、既に認証済みであった場合には、前記第２のモジュール装置の認証を解除できることが望ましい。
【００１６】
上記携帯機器では、前記第１のモジュール装置は、前記第２のモジュール装置に対する認証処理を実行した結果、認証不可であった場合には、前記第２のモジュール装置に使用不能化コマンドを送信し、前記第２のモジュール装置は、前記使用不能化コマンドを受信した場合、自モジュール装置のバッテリによる電力供給を遮断することが望ましい。
【００１７】
また、本発明は、バッテリと、当該バッテリに蓄えられている電力により動作して個別の機能を発揮する個別機能部と、非接触通信により認証処理を行うための近距離通信部と、を有するモジュール装置を複数備えた携帯機器が行う電力供給方法であって、前記複数のモジュール装置の内の第１のモジュール装置と第２のモジュール装置とが非接触近距離通信により認証処理を行う際、第１のモジュール装置は、自モジュール装置のバッテリの残容量を検出し、当該残容量が所定量を上回っている場合に、認証動作を行うための電力を第２のモジュール装置に供給する電力供給方法を提供する。
【００１８】
上記電力供給方法では、前記第１のモジュール装置は、前記個別機能部を働かせるための電力を蓄えているバッテリとは別に、前記近距離通信部を働かせるための認証動作用バッテリを有し、前記第２のモジュール装置と非接触近距離通信を行う際、前記認証動作用バッテリの残容量を検出し、当該残容量が所定量を上回っている場合に、前記認証動作用バッテリから前記第２のモジュール装置に認証動作を行うための電力を供給する。
【００１９】
上記電力供給方法では、前記第１のモジュール装置と前記第２のモジュール装置とが各々自モジュール装置のバッテリの残容量を検出して、その残容量情報を非接触近距離通信により相互に交換し、一方のモジュール装置のバッテリの残容量が他方のモジュール装置のバッテリの残容量を上回っている場合に、当該一方のモジュール装置が当該他方のモジュール装置に認証動作を行うための電力を供給することが望ましい。この場合、前記モジュール装置は、認証動作を行うための電力を自モジュール装置から他のモジュール装置に供給可能とするか否かを切り替えるためのスイッチを有することが望ましい。
【００２０】
上記電力供給方法では、前記第１のモジュール装置は、自モジュール装置のバッテリから前記第２のモジュール装置に電力を供給して認証処理を実行した後、自モジュール装置の前記バッテリに蓄えられている電力を自モジュール装置の動作のために使用することが望ましい。
【００２１】
上記電力供給方法では、前記モジュール装置は、認証動作を行う必要がないときに自モジュール装置の前記近距離通信部への電力の供給を遮断することが望ましい。
【００２２】
また、本発明は、バッテリと、当該バッテリに蓄えられている電力により動作して個別の機能を発揮する個別機能部と、非接触通信により認証処理を行うための近距離通信部と、を有するモジュール装置を複数備えた携帯機器が行う電力供給方法であって、前記複数のモジュール装置の内の少なくとも１つは認証電力供給用モジュール装置であり、前記複数のモジュール装置の内の第１のモジュール装置と第２のモジュール装置とが非接触近距離通信により認証処理を行う際、前記認証電力供給用モジュール装置が前記第１のモジュール装置と前記第２のモジュール装置の両方又は一方に認証動作を行うための電力を供給する電力供給方法を提供する。
【００２３】
上記電力供給方法では、前記第１のモジュール装置は、前記第２のモジュール装置に対する認証処理を実行した結果、既に認証済みであった場合には、前記第２のモジュール装置の認証を解除できることが望ましい。
【００２４】
上記電力供給方法では、前記第１のモジュール装置は、前記第２のモジュール装置に対する認証処理を実行した結果、認証不可であった場合には、前記第２のモジュール装置に使用不能化コマンドを送信し、前記第２のモジュール装置は、前記使用不能化コマンドを受信した場合、自モジュール装置のバッテリによる電力供給を遮断することが望ましい。
【００２５】
また、本発明は、バッテリと、当該バッテリに蓄えられている電力により動作して個別の機能を発揮する個別機能部と、非接触通信により認証処理を行うための近距離通信部と、を有するモジュール装置を複数備えた携帯機器における前記モジュール装置であって、他モジュール装置の認証を行う際、自モジュール装置のバッテリの残容量を検出し、当該残容量が所定量を上回っている場合に、認証動作を行うための電力を当該他モジュール装置に供給することを特徴とするものである。
【００２６】
上記モジュール装置は、前記個別機能部を働かせるための電力を蓄えているバッテリとは別に、前記近距離通信部を働かせるための認証動作用バッテリを有し、前記他モジュール装置と非接触近距離通信を行う際、前記認証動作用バッテリの残容量を検出し、当該残容量が所定量を上回っている場合に、前記認証動作用バッテリから当該他モジュール装置に認証動作を行うための電力を供給することが望ましい。
【００２７】
上記モジュール装置では、自モジュール装置のバッテリの残容量を検出してその残容量情報を非接触近距離通信により他モジュール装置と交換し、自モジュール装置のバッテリの残容量が当該他モジュール装置のバッテリの残容量を上回っている場合に、当該他モジュール装置に認証動作を行うための電力を供給することが望ましい。この場合、認証動作を行うための電力を自モジュール装置から他モジュール装置に供給可能とするか否かを切り替えるためのスイッチを有することが望ましい。
【００２８】
上記モジュール装置では、自モジュール装置のバッテリから他モジュール装置に電力を供給して認証処理を実行した後、自モジュール装置の前記バッテリに蓄えられている電力を自モジュール装置の動作のために使用することが望ましい。
【００２９】
上記モジュール装置では、認証動作を行う必要がないときに自モジュール装置の前記近距離通信部への電力の供給を遮断するためのスイッチを有することが望ましい。
【００３０】
また、本発明は、バッテリと、当該バッテリに蓄えられている電力により動作して個別の機能を発揮する個別機能部と、非接触通信により認証処理を行うための近距離通信部と、を有するモジュール装置を複数備えた携帯機器におけるモジュール装置であって、自モジュール装置以外の第１のモジュール装置と第２のモジュール装置とが非接触近距離通信により認証処理を行う際、前記第１のモジュール装置と前記第２のモジュール装置の両方又は一方に認証動作を行うための電力を供給するモジュール装置を提供する。
【００３１】
上記モジュール装置では、他モジュール装置に対する認証処理を実行した結果、既に認証済みであった場合には、当該他モジュール装置の認証を解除できることが望ましい。
【００３２】
上記モジュール装置では、他モジュール装置に対する認証処理を実行した結果、認証不可であった場合には、当該他モジュール装置にその使用を不能化するコマンドを送信することが望ましい。
【発明の効果】
【００３３】
本発明によれば、複数のモジュール装置からなり、それらのモジュール装置が非接触近距離通信により認証処理を行った上でそれぞれの個別機能部を働かせることにより全体として一つの機能を実現する携帯機器であって、自モジュール装置のバッテリの残容量がより多い方のモジュール装置からより少ない方のモジュール装置に認証動作を行うための電力を供給するなどして、モジュール装置間における認証処理動作を各モジュール装置に搭載されているバッテリの蓄電力を効率良く使用して行うことにより、携帯機器としての利便性を損なうことなく、バッテリの蓄電力による長時間の使用が可能となる。
【図面の簡単な説明】
【００３４】
【図１】第１の実施形態の携帯機器を示すブロック図
【図２】第１の実施形態における近距離通信部を示すブロック図
【図３】第１の実施形態の近距離通信部が行う処理を示すフローチャート
【図４】第２の実施形態におけるモジュールとその近距離通信部のブロック図
【図５】第２の実施形態の近距離通信部が行う処理を示すフローチャート
【図６】第３の実施形態の近距離通信部が行う処理を示すフローチャート
【図７】第４の実施形態における近距離通信部を示すブロック図
【図８】第５の実施形態の近距離通信部が行う処理を示すフローチャート
【図９】第６の実施形態における近距離通信部を示すブロック図
【図１０】第７の実施形態における携帯機器のブロック図
【図１１】第８の実施形態の近距離通信部が行う処理を示すフローチャート
【図１２】第９の実施形態における近距離通信部を示すブロック図
【図１３】第９の実施形態の近距離通信部が行う処理を示すフローチャート
【図１４】複数のモジュールを有する携帯機器を示すブロック図
【発明を実施するための形態】
【００３５】
以下、本発明の実施形態について、図面を参照して説明する。
【００３６】
［第１の実施形態］
図１は、第１の実施形態の携帯機器１００を示すブロック図である。以下、「モジュール装置」を単に「モジュール」と記す。図１に示す携帯機器１００は、アプリケーション処理モジュール１１０と、入力モジュール１２０と、音響モジュール１３０と、通信モジュール１４０と、表示モジュール１５０とを有する。
【００３７】
アプリケーション処理モジュール１１０は、携帯機器１００の各種アプリケーション機能を実現するための処理を行うアプリケーション処理機能部（個別機能部）１１１を有する。入力モジュール１２０は、キーボードやタッチパッド等の入力装置を含む入力処理機能部（個別機能部）１２１を有する。音響モジュール１３０は、スピーカ１３１ａと、マイク１３１ｂと、これらによる音声入出力処理及び制御を行う音声入出力回路１３１ｃとを含む音響機能部（個別機能部）１３１とを有する。通信モジュール１４０は、ベースバンド回路やＲＦ(Radio Frequency)処理回路等を含む通信機能部（個別機能部）１４１を有する。表示モジュール１５０は、液晶や有機ＥＬ等を用いた表示装置と、この駆動を制御する表示制御回路とを含む表示部（個別機能部）１５１を有する。各モジュール１１０〜１５０には、それぞれの個別機能部１１１〜１５１に加えて、他のモジュールと非接触で近距離通信を行うための近距離通信部１０２ａ〜１０２ｅと、モジュール内の各部に電力を供給するバッテリ１０１ａ〜１０１ｅとがそれぞれ搭載されている。
【００３８】
図２は、第１の実施形態の携帯機器１００を構成する各モジュール１１０〜１５０に搭載された近距離通信部１０２（１０２ａ〜１０２ｅ）を示すブロック図である。図２に示すように、近距離通信部１０２は、電力供給兼近距離通信用アンテナ（以下、単に「アンテナ」と記す。）２００と、近距離通信部２３０と、バッテリ残容量検出部２６０と、給電制御部２７０とを有する。アンテナ２００は、認証動作用の電力を空間伝送によりモジュール間で互いに供給し合うための給送電用アンテナであるとともに、非接触近距離通信によりモジュール間で認証処理を行うための通信用アンテナでもある。近距離通信部２３０へは通常はバッテリ１０１から電力供給されるが、他のモジュールから電力の供給を受ける場合、アンテナ２００で受電された電力が整流用ダイオード２５０で整流され、電源切り替えスイッチ２１０及び電源安定化部２２０を経て近距離通信部２３０に供給される。バッテリ残容量検出部２６０は、バッテリ１０１の残容量を検出する。給電制御部２７０は、他のモジュールに電力を供給する際に必要となる処理を行う。
【００３９】
図３は、第１の実施形態の近距離通信部１０２が行う処理を示すフローチャートである。近距離通信部１０２の動作開始時、バッテリ残容量検出部２６０がバッテリ１０１の残容量確認処理（ステップＳ３００）を行う。バッテリ残容量確認処理（ステップＳ３００）においては、バッテリ残容量（VBATT）がしきい値（VREF）を上回っているか否かの判定がなされる。その結果、バッテリ残容量（VBATT）がしきい値（VREF）を上回っていたならば（ステップＳ３００でＹＥＳ）、給電制御部２７０が、他モジュールへの認証時電力供給を行う（ステップＳ３１０）。その後、近距離通信部２３０が認証処理を行う（ステップＳ３２０）。一方、バッテリ残容量確認処理（ステップＳ３００）の結果、バッテリ残容量（VBATT）がしきい値（VREF）を上回っていなかった場合（ステップＳ３００でＮＯ）、認証電力供給待ち処理（ステップＳ３３０）に進み、他モジュールから認証電力が供給されるまで待機する。そして、他モジュールから認証電力供給が行われたならば（ステップＳ３３０でＹＥＳ）、認証処理を行う（ステップＳ３２０）。
【００４０】
本実施形態によれば、携帯機器１００を構成している複数（この例では５個）のモジュール１１０〜１５０の内の第１のモジュールと第２のモジュールとが非接触近距離通信により認証処理を行う際、第１のモジュールの近距離通信部１０２が自モジュールのバッテリ１０１の残容量を検出し、当該残容量が所定量を上回っている場合に、認証動作を行うための電力を第２のモジュールに供給することができる。このように、自モジュールのバッテリ１０１の残容量がより多い方のモジュールからより少ない方のモジュールに認証動作を行うための電力を供給することにより、モジュール間における認証処理動作を各モジュールに搭載されているバッテリの蓄電力を効率良く使用して行うことができるため、携帯機器としての利便性を損なうことなく、バッテリの蓄電力による長時間の使用が可能となる。
【００４１】
なお、本実施形態では、１つのアンテナ２００を電力の送受電と近距離通信に兼用しているが、送受電用と近距離通信用の別々のアンテナを備えた形態としても良い。
【００４２】
［第２の実施形態］
図４は、第２の実施形態におけるモジュール１１０〜１５０とその近距離通信部１０２（１０２ａ〜１０２ｅ）のブロック図である。第２実施形態の携帯機器１００は、各モジュール１１０〜１５０内に、個別機能部１１１〜１５１を働かせるための電力を蓄えているバッテリ１０１とは別に、近距離通信部１０２を働かせるための認証動作用バッテリ４００を有する。バッテリ残容量検出部２６０は、認証動作用バッテリ４００の残存電力を検出する。給電制御部２７０は、他モジュールに非接触近距離通信を行う際、認証動作用バッテリ４００の残容量を検出し、当該残容量が所定量を上回っている場合に、自モジュールの認証動作用バッテリ４００から他モジュールに認証動作を行うための電力を供給する制御を行う。
【００４３】
図５は、第２の実施形態の近距離通信部１０２が行う処理を示すフローチャートである。動作開始時、最初にバッテリ残容量検出部２６０が認証動作用バッテリ４００のバッテリ残容量確認処理（ステップＳ５００）を行う。バッテリ残容量確認処理（ステップＳ５００）においては、バッテリ残容量（VBATT）がしきい値（VREF）を上回っているか否かの判定がなされる。その結果、バッテリ残容量（VBATT）がしきい値（VREF）を上回っていたならば（ステップＳ５００でＹＥＳ）、給電制御部２７０が、他モジュールへの認証時電力供給を行う（ステップＳ３１０）。その後、近距離通信部２３０が認証処理３２０を行う。一方、バッテリ残容量確認処理（ステップＳ５００）の結果、バッテリ残容量（VBATT）がしきい値（VREF）を上回っていなかった場合（ステップＳ５００でＮＯ）、認証電力供給待ち処理（ステップＳ３３０）に進み、他モジュールから認証電力が供給されるまで待機する。そして、他モジュールから認証電力供給が行われたならば（ステップＳ３３０でＹＥＳ）、認証処理を行う（ステップＳ３２０）。
【００４４】
本実施形態によれば、個別機能部１１１〜１５１を働かせるためのバッテリ１０１に蓄えられている電力を認証動作のために消耗することなく、被認証側の近距離通信部１０２に認証動作のための電力を供給することができる。個別機能部１１１〜１５１を働かせるためのバッテリ１０１に蓄えられている電力を認証動作のために使用しないため、認証動作時に電力を供給する側となったモジュールのバッテリ１０１の電力の消耗を抑え、個別機能部１１１〜１５１を長時間働かせることができる。この構成は、バッテリ１０１の容量が小さいために認証動作をさせることが困難なモジュール、又は認証動作用バッテリ４００を持たないモジュールを一部に有する携帯機器１００にも有効である。
【００４５】
［第３の実施形態］
図６は、第３の実施形態の近距離通信部１０２が行う処理を示すフローチャートである。近距離通信部１０２の構成は図２又は図３と同じである。本実施形態では、各モジュールのバッテリ残容量検出部２６０が、自モジュールのバッテリ１０１又は４００のバッテリ残容量（VBATT1）を検出し、その残容量情報を非接触近距離通信により他モジュールと交換し、バッテリ残容量確認処理（ステップＳ７００）を行う。バッテリ残容量確認処理（ステップＳ７００）においては、自モジュールのバッテリ残容量（VBATT1）が他モジュールのバッテリ残容量（VBATT2）を上回っているか否かの判定がなされる。その結果、自モジュールのバッテリ残容量（VBATT1）が他モジュールのバッテリ残容量（VBATT2）を上回っていたならば（ステップＳ７００でＹＥＳ）、給電制御部２７０が、他モジュールへの認証時電力供給を行う（ステップＳ３１０）。その後、近距離通信部２６０が認証処理３２０を行う。一方、バッテリ残容量確認処理（ステップＳ７００）の結果、自モジュールのバッテリ残容量（VBATT1）が他モジュールのバッテリ残容量（VBATT1）を上回っていなかった場合（ステップＳ７００でＮＯ）、認証電力供給待ち処理（ステップＳ３３０）に進み、他モジュールから認証電力が供給されるまで待機する。そして、他モジュールから認証電力供給が行われたならば（ステップＳ３３０でＹＥＳ）、認証処理を行う（ステップＳ３２０）。
【００４６】
本実施形態によれば、被認証側のモジュールは認証時の電力消費を回避することができるため、被認証側モジュールの長時間動作が実現可能である。
【００４７】
［第４の実施形態］
図７は、第４の実施形態における近距離通信部１０２のブロック図である。第４の実施形態の近距離通信部１０２は、認証動作を行うための電力を自モジュールから他のモジュールに供給可能とするか否かを切り替えるための電力供給スイッチ８００を有する。電力供給スイッチ８００のオン／オフはユーザのコマンドで切り替えられる。バッテリ残容量検出部２６０は、自モジュールのバッテリ１０１の残容量を検出し、その残容量情報を非接触近距離通信により他モジュールと交換し、互いにバッテリ１０１の残容量の確認を行う。自モジュールのバッテリ１０１の残容量が他モジュールのバッテリ１０１の残容量を上回っており、このとき電力供給スイッチ８００がオンになっていたならば、給電制御部２７０が、他モジュールへの認証時電力供給を行う。
【００４８】
本実施形態によれば、認証処理が必要なモジュール相互のバッテリの残容量が同じ場合には、ユーザの指示で電力供給スイッチ８００をオン／オフすることにより、各モジュールのバッテリ１０１に蓄えられている電力の消費を細かく制御して、携帯機器１００をバッテリ１０１に蓄えられている電力で長時間動作させることができる。
【００４９】
［第５の実施形態］
図８は、第５の実施形態の近距離通信部１０２が行う処理を示すフローチャートである。近距離通信部１０２の構成は図２と同じである。第５の本実施形態では、図３のフローチャートに従って近距離通信部１０２が認証処理（ステップＳ３２０）を行った後、自モジュールから他モジュールすなわち被認証側のモジュールに、当該モジュールの個別機能部等の動作に必要な電力の供給を行う（ステップＳ９００）。
【００５０】
本実施形態によれば、被認証側のモジュールは、認証時に加えて認証後の動作に必要な電力も別のモジュールのバッテリ１０１からまかなうことができる。この構成は、バッテリ１０１の容量が小さいために認証動作をさせることが困難なモジュール、又は電力消費量が他よりも大きいモジュールを有する携帯機器１００において有効である。
【００５１】
［第６の実施形態］
図９は、第６の実施形態における近距離通信部１０２のブロック図である。第６の実施形態の近距離通信部１０２は、認証動作を行う必要がないときに自モジュールの近距離通信部１０２への電力の供給を完全に遮断するための電源スイッチ１０００を有する。
【００５２】
本実施形態によれば、認証動作が不要なときに電源スイッチ１０００をオフすることにより、モジュール間の認証動作を最低限必要なときのみ行うよう制御することができ、携帯機器１００の低消費電力化が実現できる。
【００５３】
［第７の実施形態］
図１０は、第７の実施形態の携帯機器７００のブロック図である。第７の実施形態の携帯機器７００は、図１の構成に加えて、認証電力供給用モジュール６００をさらに有する。認証電力供給用モジュール６００は、他のモジュールへ認証時の電力を供給するための大容量バッテリ６１０と、近距離通信部１０２とを有する。すなわち、本実施形態の携帯機器７００を構成する複数（６個）のモジュールの内の５つが個別機能部１１１〜１５１を有するモジュール１１０〜１５０であり、残りの１つが認証電力供給用モジュール６００であり、個別機能部１１１〜１５１を有する５つのモジュール１１０〜１５０の内の第１のモジュールと第２のモジュールとが非接触近距離通信により認証処理を行う際、認証電力供給用モジュール６００が第１のモジュールと第２のモジュールの両方又は一方に認証動作を行うための電力を供給する。
【００５４】
本実施形態によれば、個別機能部１１１〜１５１を有するモジュールのバッテリ１０１（又は認証動作用バッテリ４００）に蓄えられている電力を認証動作のために使用しないため、個別機能部１１１〜１５１を有するモジュールのバッテリ１０１の電力の消耗を抑え、個別機能部１１１〜１５１を長時間働かせることができる。この構成は、バッテリ１０１の容量が小さいために認証動作をさせることが困難なモジュール、又は認証動作用バッテリ４００を持たないモジュールからなる携帯機器１００において有効である。
【００５５】
［第８の実施形態］
図１１は、第８の実施形態の近距離通信部１０２が行う処理を示すフローチャートである。本実施形態は、第１〜第７の実施形態を前提としている。各モジュールの近距離通信部１０２では、バッテリ残容量検出部２６０がバッテリ１０１の残容量確認処理（ステップＳ３００）を行う。バッテリ残容量（VBATT）がしきい値（VREF）を上回っていたならば（ステップＳ３００でＹＥＳ）、給電制御部２７０が、他モジュールへの認証時電力供給を行う（ステップＳ３１０）。その後、近距離通信部２３０が、当該他モジュールが既に認証済みであるか否か確認する（ステップＳ１１００）。その結果、認証済みでなければ（ステップＳ１１００でＮＯ）、認証処理を行う（ステップＳ１１１０）。一方、既に認証済みであったならば（ステップＳ１１００でＹＥＳ）、その認証を取り消す処理を行っても良いし（ステップＳ１１２０）、認証取消処理（ステップＳ１１２０）の後、再度上記一連の処理がなされることにより、再度認証がなされるようにしても良い（ステップＳ１１１０）。
【００５６】
本実施形態によれば、認証対象モジュールが既に認証済であった場合は、認証取消処理（ステップＳ１１２０）や、再度認証処理（ステップＳ１１１０）が自動的に行われるため、容易にモジュールの脱着が可能となり、携帯機器１００の利便性が増大する。また、新たなモジュールとの認証処理により認証済の同様の機能をもつモジュールとの認証を維持するか、取り消すか選択可能な構成とすることにより、機能の重複するモジュールの接続を防止することも可能である。
【００５７】
［第９の実施形態］
図１２は、第９の実施形態における近距離通信部１０２を示すブロック図である。図１３は、第９の実施形態の近距離通信部１０２が行う処理を示すフローチャートである。本実施形態の近距離通信部１０２は、認証処理を実行した結果（ステップＳ３２０）、被認証側モジュールが改造や盗難等不正なモジュールであることが検出された場合や、その他の原因により認証不可となった場合に（ステップＳ１３００でＹＥＳ）、被認証側モジュールに対し使用不能化コマンドを送信する機能を有する。また、本実施形態の近距離通信部１０２は、使用不能化コマンドを受信した場合に、自モジュールのバッテリ１０１による電力供給を遮断（ステップＳ１３１０）する機能も有する。使用不能化コマンドを受信した場合、近距離通信部１０２は、その内部の電源遮断部１２００の作動により電力系統が完全に遮断されるため完全に動作不能となる。その結果、当該近距離通信部１０２を内蔵しているモジュールを完全に使用不能状態にすることができる。
【００５８】
本実施形態によれば、不正な改造が施されたモジュールによるセキュリティの脅威や盗難など不正に入手したモジュールが使用されることから生まれる不利益を回避することができ、このシステムを安全なものとすることができる。
【産業上の利用可能性】
【００５９】
本発明は、機器を構成している複数のモジュールの内のいずれかが携帯不可能な据え置き型のモジュールである機器にも応用できる。
【符号の説明】
【００６０】
１００  携帯機器
１０１  バッテリ
１０２（１０２ａ〜１０２ｅ）  近距離通信部
１１０  アプリケーション処理モジュール装置
１２０  入力モジュール装置
１３０  音響モジュール装置
１４０  通信モジュール装置
１５０  表示モジュール装置
１１１〜１５１  個別機能部
２００  アンテナ
２３０  近距離通信部
２６０  バッテリ残容量検出部
２７０  給電制御部
４００  認証動作用バッテリ
６００  認証電力供給用モジュール
８００  電力供給スイッチ
１０００  電源スイッチ
１２００  電源遮断部
【図１】
2010273105.tif 000003
【図２】
2010273105.tif 000004
【図３】
2010273105.tif 000005
【図４】
2010273105.tif 000006
【図５】
2010273105.tif 000007
【図６】
2010273105.tif 000008
【図７】
2010273105.tif 000009
【図８】
2010273105.tif 000010
【図９】
2010273105.tif 000011
【図１０】
2010273105.tif 000012
【図１１】
2010273105.tif 000013
【図１２】
2010273105.tif 000014
【図１３】
2010273105.tif 000015
【図１４】
2010273105.tif 000016